(57)【要約】【課題】単相三線式の系統電源に連系するパワーコンディショナにおいて、より精度良くインバータの単独運転状態を検出することが可能なパワーコンディショナを提供する。【解決手段】パワーコンディショナは、インバータと、第１の電圧線および中性線の間の電圧の第１の電圧周波数を検出する第１の検出手段と、第２の電圧線および中性線の間の電圧の第２の電圧周波数を検出する第２の検出手段と、インバータを制御する制御手段とを備える。制御手段は、第１の電圧周波数と異なるように第１の電流周波数を設定し、第２の電圧周波数と異なるように第２の電流周波数を設定し、第１の電圧周波数および第２の電圧周波数の少なくとも一方と、電圧周波数の基準範囲とに基づいて、インバータが単独運転状態か否かを判断し、インバータが単独運転状態である場合にインバータを停止させる。【選択図】図２
2015211546.tif 000002
【特許請求の範囲】
【請求項１】
直流電源と系統電源との間に接続されるパワーコンディショナであって、
前記直流電源の直流電力を単相交流電力に変換して出力するインバータと、
第１の電圧線および中性線で構成される第１の電力線と、第２の電圧線および前記中性線で構成される第２の電力線とを含み、前記インバータからの出力電力を供給する電力供給線と、
前記第１の電圧線および前記中性線の間の電圧の第１の電圧周波数を検出する第１の検出手段と、
前記第２の電圧線および前記中性線の間の電圧の第２の電圧周波数を検出する第２の検出手段と、
前記インバータを制御する制御手段とを備え、
前記制御手段は、
前記第１の電圧周波数と異なるように前記第１の電力線に出力する電流の第１の電流周波数を設定し、前記第２の電圧周波数と異なるように前記第２の電力線に出力する電流の第２の電流周波数を設定する設定手段と、
前記第１の電圧周波数および前記第２の電圧周波数の少なくとも一方と、予め定められた電圧周波数の基準範囲とに基づいて、前記インバータが単独運転状態か否かを判断する判断手段と、
前記インバータが単独運転状態である場合に、前記インバータを停止させる停止手段とを含む、パワーコンディショナ。
【請求項２】
前記判断手段は、前記第１の電圧周波数および前記第２の電圧周波数の少なくとも一方が前記電圧周波数の基準範囲を外れた場合に前記インバータが単独運転状態であると判断する、請求項１に記載のパワーコンディショナ。
【請求項３】
前記制御手段は、
前記第１の電圧線の受電点における第１の受電電流と、前記第２の電圧線の前記受電点における第２の受電電流とを監視する電流監視手段と、
前記第１の受電電流に基づいて前記第１の電圧線への出力電流の目標値を示す第１の目標値電流を設定し、前記第２の受電電流に基づいて前記第２の電圧線への出力電流の目標値を示す第２の目標値電流を設定する目標値設定手段とをさらに含み、
前記設定手段は、
前記第１の目標値電流が前記第２の目標値電流よりも大きい場合、前記第１の電圧周波数と異なるように前記第１の電流周波数を設定し、
前記第１の目標値電流が前記第２の目標値電流以下の場合、前記第２の電圧周波数と異なるように前記第２の電流周波数を設定する、請求項１に記載のパワーコンディショナ。
【請求項４】
前記判断手段は、
前記設定手段により前記第１の電流周波数が設定された場合、前記第１の電圧周波数が前記電圧周波数の基準範囲を外れたときに前記インバータが単独運転状態であると判断し、
前記設定手段により前記第２の電流周波数が設定された場合、前記第２の電圧周波数が前記電圧周波数の基準範囲を外れたときに前記インバータが単独運転状態であると判断する、請求項３に記載のパワーコンディショナ。
【請求項５】
直流電源と系統電源との間に接続されるパワーコンディショナであって、
前記直流電源の直流電力を単相交流電力に変換して出力するインバータと、
第１の電圧線および中性線で構成される第１の電力線と、第２の電圧線および前記中性線で構成される第２の電力線とを含み、前記インバータからの出力電力を供給する電力供給線と、
前記第１の電圧線および前記第２の電圧線の間の電圧の電圧周波数を検出する検出手段と、
前記インバータを制御する制御手段とを備え、
前記制御手段は、
前記第１の電力線に出力する電流の電流周波数と前記第２の電力線に出力する電流の電流周波数とを同一に設定するとともに、当該同一に設定された電流周波数が前記検出手段によって検出された検出電圧周波数と異なるように設定する設定手段と、
前記検出手段により検出された検出電圧周波数と、予め定められた電圧周波数の基準範囲とに基づいて、前記インバータが単独運転状態か否かを判断する判断手段と、
前記判断手段が前記インバータが単独運転状態であると判断した場合に、前記インバータを停止する停止手段とを含む、パワーコンディショナ。
【請求項６】
前記判断手段は、前記検出電圧周波数が前記電圧周波数の基準範囲を外れた場合、前記インバータが単独運転状態であると判断する、請求項５に記載のパワーコンディショナ。
【発明の詳細な説明】
【技術分野】
【０００１】
本発明は、電源と系統電源との間に接続されるパワーコンディショナに関し、特に、単独運転防止機能を有するパワーコンディショナに関する。
【背景技術】
【０００２】
近年、地球環境保護への関心が高まっており、太陽電池や燃料電池を利用した発電装置、リチウムイオン電池などの蓄電池を備えた分散型電源システムの実用化が進んできている。これらの分散型電源から出力される直流電力は、パワーコンディショナにより電力会社による単相三線式の系統電源の周波数および電圧に応じた交流電力に変換されて利用される。また、運用方式としては、系統電源から独立して運転するのではなく、系統電源へ系統連系される。
【０００３】
このような系統連系システムにおいては、工事や点検、事故などにより系統電源の電力供給が停止された場合（系統電源停電時）に、分散型電源およびインバータが系統電源に連系したまま運転する単独運転状態になると、逆電圧による逆潮流が停電状態の系統電源側に流れ込み、系統電源側の安全性を脅かすおそれがある。そのため、需要家側設備の単独運転状態を確実に検出してインバータを停止させる必要がある。
【０００４】
たとえば、特開２０００−２３６６７１号公報（特許文献１）には、系統連系発電装置が開示されている。系統連系発電装置は、系統電源の周波数を検出する検出手段と、検出手段によって検出する系統電源の周波数とインバータから出力する出力電力の周波数を比較して一致しているか否かを判定する比較手段と、出力電力の周波数を系統電源の周波数と相違するように設定するときに、比較手段によって一致していると判定されたときに前回設定した出力電力の周波数の変化方向と同一方向へ所定値だけ変化するように周波数を設定する設定手段と、設定手段の設定結果又は系統電源と出力電力の周波数に基づいて系統電源に停電が発生しているか否かを検出する停電検出手段とを含む。
【先行技術文献】
【特許文献】
【０００５】
【特許文献１】特開２０００−２３６６７１号公報
【発明の概要】
【発明が解決しようとする課題】
【０００６】
しかしながら、特許文献１に開示された技術では、単相三線式の系統電源に連系した場合については考慮されていない。特に、単相三線式の系統電源に連系した場合には、三線それぞれにおいてインバータから出力される電流値が異なるため、特許文献１で開示された技術を適用して単独運転検出を行なうことは困難である。
【０００７】
本発明は、上記のような問題点を解決するためになされたものであって、単相三線式の系統電源に連系するパワーコンディショナにおいて、より精度良くインバータの単独運転状態を検出することにより、確実に単独運転を防止することが可能なパワーコンディショナを提供することを目的とする。
【課題を解決するための手段】
【０００８】
ある実施の形態に従うと、直流電源と系統電源との間に接続されるパワーコンディショナが提供される。パワーコンディショナは、直流電源の直流電力を単相交流電力に変換して出力するインバータと、第１の電圧線および中性線で構成される第１の電力線と、第２の電圧線および中性線で構成される第２の電力線とを含み、インバータからの出力電力を供給する電力供給線と、第１の電圧線および中性線の間の電圧の第１の電圧周波数を検出する第１の検出手段と、第２の電圧線および中性線の間の電圧の第２の電圧周波数を検出する第２の検出手段と、インバータを制御する制御手段とを備える。制御手段は、第１の電圧周波数と異なるように第１の電力線に出力する電流の第１の電流周波数を設定し、第２の電圧周波数と異なるように第２の電力線に出力する電流の第２の電流周波数を設定する設定手段と、第１の電圧周波数および第２の電圧周波数の少なくとも一方と、予め定められた電圧周波数の基準範囲とに基づいて、インバータが単独運転状態か否かを判断する判断手段と、インバータが単独運転状態である場合に、インバータを停止させる停止手段とを含む。
【発明の効果】
【０００９】
本発明によると、単相三線式の系統電源に連系するパワーコンディショナにおいて、より精度良くインバータの単独運転状態を検出することにより、確実に単独運転を防止することが可能となる。
【図面の簡単な説明】
【００１０】
【図１】実施の形態１に従うパワーコンディショナが適用される電力供給システムの全体構成を概略的に示す図である。
【図２】実施の形態１に従う制御部の構成を示す模式図である。
【図３】実施の形態１に従う制御部が実行する電流周波数のシフト設定処理を示すフローチャートである。
【図４】実施の形態１に従う制御部が実行する加速シフト処理を示すフローチャートである。
【図５】実施の形態１に従う制御部がインバータを停止させる際の処理を示すフローチャートである。
【図６】実施の形態２に従う制御部の構成を示す模式図である。
【図７】実施の形態２に従う制御部の処理手順を示すフローチャートである。
【図８】実施の形態３に従うパワーコンディショナが適用される電力供給システムの全体構成を概略的に示す図である。
【図９】実施の形態３に従う制御部の構成を示す模式図である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
［実施の形態１］
＜全体構成＞
図１は、実施の形態１に従うパワーコンディショナが適用される電力供給システムの全体構成を概略的に示す図である。
【００１３】
図１を参照して、電力供給システムは、パワーコンディショナ２と、蓄電池４と、負荷５Ａ，５Ｂ，５Ｃ（以下「負荷５」とも総称する。）と、電流センサ６１，６２と、系統電源８とを含む。電力供給システムの一部は、たとえば、住宅やオフィスなどの家屋内に設置される。
【００１４】
系統電源８は、単相三線式の商用交流電力系統であり、電力線３を介して電力を家庭に供給する。
【００１５】
電力線３は、電圧線Ｕと電圧線Ｗと中性線Ｏとを含む。電力線３は、図示しない分電盤を介して家屋内に配線され、接地された接地線である中性線Ｏと両側の電圧線Ｕ，Ｗのうち、いずれか２本の線間に接続された負荷５に電力を供給する。具体的には、負荷５Ａは電圧線Ｕおよび中性線Ｏ間に接続され、負荷５Ｂは電圧線Ｗおよび中性線Ｏ間に接続され、負荷５Ｃは電圧線Ｕおよび電圧線Ｗ間に接続されている。電圧線Ｕおよび中性線Ｏの間（Ｕ−Ｏ相間）の電圧、電圧線Ｗおよび中性線Ｏの間（Ｗ−Ｏ相間）の電圧はＡＣ（alternating  current）１００Ｖであり、この間にＡＣ１００Ｖ用の電気機器が接続される。また、電圧線Ｕおよび電圧線Ｗの間（Ｕ−Ｗ相間）の電圧はＡＣ２００Ｖであり、この間にＡＣ２００Ｖ用の電気機器が接続される。
【００１６】
具体的には、ＡＣ１００Ｖ用の電気機器には、電圧線Ｕと中性線Ｏとから構成される電力線（以下、「Ｕ相電力線」とも称する）、または電圧線Ｗと中性線Ｏとから構成される電力線（以下、「Ｗ相電力線」とも称する）から電力が供給される。また、ＡＣ２００Ｖ用の電気機器は電圧線Ｕと電圧線Ｗに接続されるため、当該電気機器にはＵ相電力線およびＷ相電力線を介して電力が供給される。
【００１７】
負荷５は、たとえば、単一または複数の電気機器で構成されている。電気機器は、たとえば、ＡＣ１００Ｖ用の扇風機、掃除機、冷蔵庫、またはＡＣ２００Ｖ用のエアコンなどである。なお、電気機器は、これに限らず、テレビ、パソコン、電子レンジなどであってもよい。
【００１８】
パワーコンディショナ２は、蓄電池４から出力される直流電力を交流電力に変換して、当該交流電力を電力線３を介して負荷５に供給する。パワーコンディショナ２の詳細な構成については後述する。
【００１９】
蓄電池４は、充放電可能な電力貯蔵要素である。蓄電池４の種類については特に限定されるものではなく、たとえば、リチウムイオン電池や鉛蓄電池、Ｎａｓ電池、ニッケル水素電池などの二次電池で構成される。
【００２０】
なお、蓄電池４は、実施の形態１（および後述する全ての実施の形態）に従う「直流電源」の一例である。直流電源は、直流電力を供給する電力源であれば蓄電池４に特に限定されない。実施の形態１に従う直流電源は、たとえば、太陽電池、燃料電池、風力発電装置、電気自動車、プラズマ発電装置、キャパシタなど直流電力を発生するものであればよく、特に限定されるものではない。また、直流電源はこれらの組み合わせでもよい。
【００２１】
電力線３には、系統電源８からの交流電力を受ける受電点Ｐを流れる電流（受電電流）を検出するための電流センサ６１，６２が設けられる。具体的には、電流センサ６１は電圧線Ｕの受電点Ｐに設けられ、電流センサ６２は電圧線Ｗの受電点Ｐに設けられる。
【００２２】
電流センサ６１，６２は、それぞれ受電電流Ｉｕｐ，Ｉｗｐを検出し、その検出値をパワーコンディショナ２へ出力する。本実施の形態では、電流センサ６１，６２は、それぞれ、系統電源８からの受電電流を正値の受電電流として検出し、系統電源８への逆潮流電流を負値の受電電流として検出する。
【００２３】
＜パワーコンディショナ２の構成＞
図１を参照して、パワーコンディショナ２は、電力線３と、制御部１０と、インバータ２０と、リアクトル３１〜３３と、電流センサ４１，４２と、電圧センサ５１，５２と、直流バス１５０とを含む。
【００２４】
本実施の形態では、パワーコンディショナ２に接続される直流電源として蓄電池４を採用している。現在、我が国においては、系統電源８への影響を考慮して、蓄電池や燃料電池からの放電電力を系統電源側に逆潮流することが認められていないことから、本実施の形態に従うパワーコンディショナ２は、蓄電池４から系統電源８への逆潮流を防止するための逆潮流防止制御を行なうものとする。
【００２５】
直流バス１５０は、蓄電池４から供給される直流電力をインバータ２０に伝達するための電力線である。直流バス１５０は、電力線対である正母線ＰＬおよび負母線ＳＬで構成される。
【００２６】
インバータ２０は、制御部１０からのスイッチング制御信号Ｓ１〜Ｓ６に応じて、直流バス１５０を介して蓄電池４から供給された直流電力を交流電力に変換し、その変換で得られた交流電力を電力線３に出力する。インバータ２０は、スイッチング素子であるトランジスタＱ１〜Ｑ６と、ダイオードＤ１〜Ｄ６とを含む。トランジスタＱ１，Ｑ２は、直流バス１５０を構成する正母線ＰＬおよび負母線ＳＬの間に直列に接続される。トランジスタＱ１とトランジスタＱ２との中間点は、Ｕ相線である電圧線Ｕに接続される。リアクトル３１は、電圧線Ｕ上に設けられる。
【００２７】
トランジスタＱ３，Ｑ４は、正母線ＰＬおよび負母線ＳＬの間に直列に接続される。トランジスタＱ３とトランジスタＱ４との中間点は、Ｏ相線である中性線Ｏに接続される。リアクトル３２は、中性線Ｏ上に設けられる。
【００２８】
トランジスタＱ５，Ｑ６は、正母線ＰＬおよび負母線ＳＬの間に直列に接続される。トランジスタＱ５とトランジスタＱ６との中間点は、Ｗ相線である電圧線Ｗに接続される。リアクトル３３は、電圧線Ｗ上に設けられる。
【００２９】
なお、トランジスタＱ１〜Ｑ６として、たとえばＩＧＢＴ（Insulated  Gate  Bipolar
Transistor）を用いることができる。または、パワーＭＯＳＦＥＴ（Metal  Oxide  Semiconductor  Field-Effect  Transistor）などの電力スイッチング素子が用いられてもよい。
【００３０】
トランジスタＱ１〜Ｑ６は、それぞれ制御部１０からのスイッチング制御信号Ｓ１〜Ｓ６に応答してオン／オフする。トランジスタＱ１〜Ｑ６を所定のタイミングでオン／オフさせることにより、蓄電池４から供給される直流電力を単相交流電力に変換することができる。
【００３１】
電流センサ４１は、電圧線Ｕ上に設けられ、電圧線Ｕに流れる電流Ｉｕを検出し、その検出結果を制御部１０に出力する。電流センサ４２は、電圧線Ｗ上に設けられ、電圧線Ｗに流れる電流Ｉｗを計測し、その検出結果を制御部１０に出力する。
【００３２】
電圧センサ５１は、電圧線Ｕと中性線Ｏとの間に接続され、Ｕ−Ｏ相間の電圧Ｖｕを検出し、その検出結果を制御部１０に出力する。電圧センサ５１の検出結果には、Ｕ−Ｏ相間の電圧Ｖｕの電圧値と周波数とが含まれる。電圧センサ５２は、電圧線Ｗと中性線Ｏとの間に接続され、Ｗ−Ｏ相間の電圧Ｖｗを検出し、その検出結果を制御部１０に出力する。電圧センサ５２の検出結果には、Ｗ−Ｏ相間の電圧Ｖｗの電圧値と周波数とが含まれる。
【００３３】
制御部１０は、パワーコンディショナ２から負荷５に供給する電力を制御する。制御部１０は、回路等のハードウェア構成であってもよいし、図示しないＣＰＵ（Central  Processing  Unit）を含み、ＣＰＵが図示しないメモリに格納されたデータおよびプログラムを実行することによって実現される構成であってもよい。
【００３４】
制御部１０は、電流センサ４１，４２からそれぞれ受けた電流Ｉｕ，Ｉｗと、電圧センサ５１，５２からそれぞれ受けた電圧Ｖｕ，Ｖｗと、電流センサ６１，６２からそれぞれ受けた受電電流Ｉｕｐ，Ｉｗｐとに基づいて、後述する制御方式にしたがって、トランジスタＱ１〜Ｑ６のオン・オフを制御するためのスイッチング制御信号Ｓ１〜Ｓ６を生成し、インバータ２０を制御する。
【００３５】
＜制御部１０Ａの構成＞
図２は、実施の形態１に従う制御部１０Ａの構成を示す模式図である。図２を参照して、制御部１０Ａは、電流値制御部１００Ａと、電流周波数設定部１１０Ａと、単独運転判断部１２０Ａと、駆動部１３０Ａとを含む。制御部１０Ａは、図２に示す制御部１０と対応するが、他の実施の形態との区別のため、便宜上「Ａ」といった追加の符号を付している。これは、実施の形態２においても同様である。
【００３６】
電流値制御部１００Ａは、電圧線Ｕに流れる電流値を制御するＵ相電流値制御部１０１Ａと、電圧線Ｗに流れる電流値を制御するＷ相電流値制御部１０２Ａとを含む。Ｕ相電流値制御部１０１Ａは、電圧線Ｕの受電点Ｐにおける受電電流Ｉｕｐを常に監視しており、Ｗ相電流値制御部１０２Ａは、電圧線Ｗの受電点Ｐにおける受電電流Ｉｗｐを常に監視している。
【００３７】
また、Ｕ相電流値制御部１０１Ａは、受電電流Ｉｕｐに基づいて電圧線Ｕへの出力電流の目標値である目標値電流Ｉｕ＊を設定する。具体的には、Ｕ相電流値制御部１０１Ａは、蓄電池４から系統電源８への逆潮流を防止するために、受電電流Ｉｕｐが受電目標値電流Ｉｕｐ＊（ここでは、０Ａ）になるように目標値電流Ｉｕ＊を設定する。さらに詳細には、Ｕ相電流値制御部１０１Ａは、受電電流Ｉｕｐ＜０の場合には目標値電流Ｉｕ＊を増加させ、受電電流Ｉｕｐ＞０の場合には目標値電流Ｉｕ＊を減少させる。なお、目標値電流Ｉｕ＊を増減させる量は、所定量ΔＩであってもよいし、受電電流Ｉｕｐと受電目標値電流Ｉｕｐ＊との差に応じて定められてもよい。
【００３８】
Ｗ相電流値制御部１０２Ａは、受電電流Ｉｗｐに基づいて電圧線Ｗへの出力電流の目標値である目標値電流Ｉｗ＊を設定する。具体的には、Ｗ相電流値制御部１０２Ａは、Ｕ相電流値制御部１０１Ａが目標値電流Ｉｕ＊を設定する方式と同様の方式で、受電電流Ｉｗｐが受電目標値電流Ｉｗｐ＊（ここでは、０Ａ）になるように目標値電流Ｉｗ＊を設定する。
【００３９】
電流周波数設定部１１０Ａは、Ｕ相電力線への出力電力の電流周波数Ｆｕを設定するＵ相電流周波数設定部１１１Ａと、Ｗ相電力線への出力電力の電流周波数Ｆｗを設定するＷ相電流周波数設定部１１２Ａとを含む。
【００４０】
Ｕ相電流周波数設定部１１１Ａは、電圧センサ５１により検出された電圧Ｖｕの電圧周波数（以下「検出電圧周波数Ｆｕｓ」と称する。）と異なるように、電流周波数Ｆｕを設定する。Ｕ相電流周波数設定部１１１Ａは、目標値電流Ｉｕ＊の周波数が電流周波数Ｆｕに設定された目標値電流Ｉｕ＊＊を単独運転判断部１２０Ａに出力する。なお、電圧Ｖｕの検出電圧周波数Ｆｕｓは、電圧の極性が切り換わるゼロクロス点から次に同一方向に切り換わるゼロクロス点までの時間（周期）から求められる。
【００４１】
Ｕ相電流周波数設定部１１１Ａは、たとえば、検出電圧周波数Ｆｕｓから所定値Ｃだけ変化させた値（Ｆｕｓ±Ｃ）に電流周波数Ｆｕを設定する。電流周波数Ｆｕのさらに具体的な設定方式については、図３および図４において後述する。
【００４２】
Ｗ相電流周波数設定部１１２Ａは、電圧センサ５２により検出された電圧Ｖｗの電圧周波数（以下「検出電圧周波数Ｆｗｓ」と称する。）と異なるように、電流周波数Ｆｗを設定する。具体的には、Ｗ相電流周波数設定部１１２Ａは、Ｕ相電流周波数設定部１１１Ａにおける電流周波数Ｆｕの設定方式と同様の方式により、電流周波数Ｆｗを設定する。Ｗ相電流周波数設定部１１２Ａは、目標値電流Ｉｗ＊の周波数が電流周波数Ｆｗに設定された目標値電流Ｉｗ＊＊を単独運転判断部１２０Ａに出力する。
【００４３】
ここで、インバータ２０（および分散型電源である蓄電池４）が単独運転状態か否かを判断するときの基本的な考え方について説明する。通常、系統電源８から供給される電力は、分散型電源である蓄電池４から出力される電力と比較して非常に大きい。そのため、系統電源８が停電するなどにより、系統電源８の電力が低下していないときには、インバータ２０から出力される出力電力の電流周波数（上記の電流周波数Ｆｕ，Ｆｗ）を変化させても、電圧センサ５１，５２で検出される検出電圧周波数が電流周波数の影響を受けることはない。すなわち、この場合には、検出電圧周波数は、系統電源８の基準周波数となる。
【００４４】
しかしながら、停電などにより系統電源８の電力が低下した場合には、検出電圧周波数が電流周波数と一致することになる。具体的には、検出電圧周波数Ｆｕｓは電流周波数Ｆｕと一致し、検出電圧周波数Ｆｗｓは電流周波数Ｆｗと一致する。このことから、系統電源８の基準周波数（検出電圧周波数）に対して電流周波数をシフトさせておき、電流周波数の影響を受けて、基準周波数（検出電圧周波数）が一定以上変化した場合にはインバータ２０が単独運転状態であると判断することができる。
【００４５】
単独運転判断部１２０Ａは、検出電圧周波数Ｆｕｓおよび検出電圧周波数Ｆｗｓと、予め定められた電圧周波数の基準範囲とに基づいて、インバータ２０が単独運転状態か否かを判断する。具体的には、単独運転判断部１２０Ａは、検出電圧周波数Ｆｕｓおよび検出電圧周波数Ｆｗｓの少なくとも一方が当該基準範囲を外れた場合に、インバータ２０が単独運転状態であると判断する。具体的には、基準範囲は電圧周波数の整定範囲である。整定範囲は、たとえば、系統電源８の基準周波数が５０Ｈｚのときには４９Ｈｚ〜５１Ｈｚであり、系統電源８の基準周波数が６０Ｈｚのときには５９Ｈｚ〜６１Ｈｚである。なお、基準範囲は、整定範囲内において、系統電源８が確実に停電しインバータ２０が単独運転状態であると判断できる値であれば任意の値を用いることができる。
【００４６】
駆動部１３０Ａは、インバータ２０が単独運転状態である場合に、インバータ２０を停止させる。具体的には、駆動部１３０Ａは、インバータ２０を停止させるためのスイッチング制御信号を生成して、生成したスイッチング制御信号をインバータ２０に出力する。たとえば、駆動部１３０Ａは、トランジスタＱ１〜Ｑ６をそれぞれオフさせるスイッチング制御信号Ｓ１〜Ｓ６を生成してインバータ２０に出力する。
【００４７】
駆動部１３０Ａは、インバータ２０が単独運転状態ではない場合には、インバータ２０を通常駆動させる。具体的には、駆動部１３０Ａは、電流センサ４１により検出された電流Ｉｕが目標値電流Ｉｕ＊＊になるように、また電流センサ４２により検出された電流Ｉｗが目標値電流Ｉｗ＊＊になるように、トランジスタＱ１〜Ｑ６をオン／オフさせるスイッチング制御信号Ｓ１〜Ｓ６を生成してインバータ２０に出力する。
【００４８】
＜処理手順＞
（電流周波数の設定）
図３および図４を参照して、制御部１０Ａが実行する電流周波数のシフト設定処理について説明する。シフト設定処理は、主に、制御部１０Ａにおける電流周波数設定部１１０Ａの機能により実現される。なお、上述したように、電流周波数Ｆｕの設定方式と電流周波数Ｆｗの設定方式とは基本的に同じであるため、以下では、代表して電流周波数Ｆｕを設定する場合について説明する。
【００４９】
図３は、実施の形態１に従う制御部１０Ａが実行する電流周波数のシフト設定処理を示すフローチャートである。
【００５０】
図３を参照して、制御部１０Ａは、電圧センサ５１で検出された検出電圧周波数Ｆｕｓを取得する（ステップＳ１０）。制御部１０Ａは、今回の電流周波数Ｆｕ（すなわち、直近で設定された電流周波数）と検出電圧周波数Ｆｕｓとが一致するか否かを判断する（ステップＳ１２）。
【００５１】
今回の電流周波数Ｆｕと検出電圧周波数Ｆｕｓとが一致する場合には（ステップＳ１２においてＹＥＳ）、制御部１０Ａは後述の図４で説明する加速シフト処理を実行して（ステップＳ２８）、処理を終了する。これに対して、今回の電流周波数Ｆｕと検出電圧周波数Ｆｕｓとが一致しない場合には（ステップＳ１２においてＮＯ）、制御部１０Ａは今回の電流周波数Ｆｕと前回の電流周波数Ｆｕとの周波数差ΔＦが負か否かを判断する（ステップＳ１４）。すなわち、制御部１０Ａは、今回の電流周波数Ｆｕは前回に対してマイナス方向へ変化させたものかプラス方向に変化させたものかを判断する。
【００５２】
周波数差ΔＦが負の場合には（ステップＳ１４においてＹＥＳ）、制御部１０Ａは、マイナス方向へシフトした回数をカウントするカウンタＣｎをクリア（Ｃｎ＝０）して（ステップＳ１６）、プラス方向へシフトした回数をカウントするカウンタＣｐをカウントアップ（Ｃｐ＝Ｃｐ＋１＝１）する（ステップＳ１８）。そして、制御部１０Ａは、次回の電流周波数Ｆｕが、検出電圧周波数Ｆｕｓに対して所定値Ｃ（たとえば、０．５Ｈｚ）だけ増加するように設定して（ステップＳ２０）、処理を終了する。
【００５３】
周波数差ΔＦが負ではない（正または０）場合には（ステップＳ１４においてＮＯ）、制御部１０Ａは、プラス方向のカウンタＣｐをクリア（Ｃｐ＝０）して（ステップＳ２２）、マイナス方向のカウンタＣｎをカウントアップ（Ｃｎ＝Ｃｎ＋１＝１）する（ステップＳ２４）。そして、制御部１０Ａは、次回の電流周波数Ｆｕが、検出電圧周波数Ｆｕｓに対して所定値Ｃだけ減少するように設定して（ステップＳ２６）、処理を終了する。
【００５４】
上記のように、制御部１０Ａは、系統電源８に停電が生じていないときには、検出電圧周波数Ｆｕｓに対して電流周波数Ｆｕが、プラス方向とマイナス方向に交互にシフトするように設定する。
【００５５】
次に、図４を参照して加速シフト処理について説明する。図４は、実施の形態１に従う制御部１０Ａが実行する加速シフト処理を示すフローチャートである。
【００５６】
図４を参照して、制御部１０Ａは、今回の電流周波数Ｆｕと前回の電流周波数Ｆｕとの周波数差ΔＦが負か否かを判断する（ステップＳ５０）。
【００５７】
周波数差ΔＦが負の場合には（ステップＳ５０においてＹＥＳ）、制御部１０Ａは、マイナス方向のカウンタＣｎをカウントアップ（Ｃｎ＝Ｃｎ＋１）する（ステップＳ５２）。続いて、制御部１０Ａは、カウンタＣｎが所定回数Ｎ以上か否かを判断する（ステップＳ５４）。
【００５８】
カウンタＣｎが所定回数Ｎ以上の場合には（ステップＳ５４においてＹＥＳ）、制御部１０Ａは、カウンタＣｎの回数に応じて電流周波数Ｆｕの変化量が減少するように次回の電流周波数Ｆｕを設定して（ステップＳ５６）、処理を終了する。具体的には、カウンタＣｎから所定回数Ｎを減算した値をａ（＝Ｃｎ−Ｎ）とすると、制御部１０Ａは、今回の電流周波数Ｆｕに対してＣ×ａだけ減少するように次回の電流周波数Ｆｕを設定する。これに対して、カウンタＣｎが所定回数Ｎ未満の場合には（ステップＳ５４においてＮＯ）、制御部１０Ａは、今回の電流周波数Ｆｕに対して所定値Ｃだけ減少するように次回の電流周波数Ｆｕを設定して（ステップＳ５８）、処理を終了する。
【００５９】
周波数差ΔＦが負ではない場合には（ステップＳ５０においてＮＯ）、制御部１０Ａは、プラス方向のカウンタＣｐをカウントアップ（Ｃｐ＝Ｃｐ＋１）する（ステップＳ６０）。続いて、制御部１０Ａは、カウンタＣｐが所定回数Ｎ以上か否かを判断する（ステップＳ６２）。
【００６０】
カウンタＣｐが所定回数Ｎ以上の場合には（ステップＳ６２においてＹＥＳ）、制御部１０Ａは、カウンタＣｐの回数に応じて電流周波数Ｆｕの変化量が増加するように次回の電流周波数Ｆｕを設定して（ステップＳ６４）、処理を終了する。具体的には、カウンタＣｐから所定回数Ｎを加算した値をａ（＝Ｃｐ＋Ｎ）とすると、制御部１０Ａは、今回の電流周波数Ｆｕに対してＣ×ａだけ増加するように次回の電流周波数Ｆｕを設定する。これに対して、カウンタＣｐが所定回数Ｎ未満の場合には（ステップＳ６２においてＮＯ）、制御部１０Ａは、今回の電流周波数Ｆｕに対して所定値Ｃだけ増加するように次回の電流周波数Ｆｕを設定して（ステップＳ６６）、処理を終了する。
【００６１】
上記のように、制御部１０Ａは、電流周波数Ｆｕが同一方向（増加方向又は減少方向）へ連続して変化させたときの回数に応じて、変化量（シフト量）が加速しながら増加するように設定する。
【００６２】
（インバータの停止）
図５は、実施の形態１に従う制御部１０Ａがインバータ２０を停止させる際の処理を示すフローチャートである。
【００６３】
図５を参照して、制御部１０Ａは、検出電圧周波数Ｆｕｓ，Ｆｗｓの少なくとも一方が電圧周波数の基準範囲外であるか否かを判断する（ステップＳ８２）。基準範囲外である場合には（ステップＳ８２においてＹＥＳ）、制御部１０Ａは、インバータ２０が単独運転状態にあると判断してインバータ２０を停止させて（ステップＳ８４）、処理を終了する。基準範囲内である場合には（ステップＳ８２においてＮＯ）、制御部１０Ａは、インバータ２０を通常駆動させて（ステップＳ８６）、処理を終了する。
【００６４】
＜利点＞
実施の形態１によると、Ｕ−Ｏ相間およびＷ−Ｏ相間のそれぞれで電圧周波数を監視しており、いずれかで電圧周波数が基準範囲外になった場合には単独運転状態であると判断してインバータが停止される。そのため、単相三線式の系統電源と連系されて、Ｕ相およびＷ相のそれぞれに出力される電力（電流）が異なる場合であっても、インバータの単独運転をより早く、精度良く検出することが可能となる。また、これによりインバータの単独運転を確実に防止できる。
【００６５】
［実施の形態２］
実施の形態２では、Ｕ相およびＷ相のいずれか一方の相で単独運転検出を行なう構成について説明する。なお、実施の形態２における＜全体構成＞および＜パワーコンディショナの構成＞については、実施の形態１のそれと実質的に同一であるためその詳細な説明は繰り返さない。
【００６６】
＜制御部１０Ｂの構成＞
図６は、実施の形態２に従う制御部１０Ｂの構成を示す模式図である。図６を参照して、制御部１０Ｂは、電流値制御部１００Ｂと、電流周波数設定部１１０Ｂと、単独運転判断部１２０Ｂと、駆動部１３０Ｂとを含む。電流値制御部１００Ｂおよび駆動部１３０Ｂは、それぞれ図３に示す電流値制御部１００Ａおよび駆動部１３０Ａと実質的に同一の構成であるため、その詳細な説明は繰り返さない。
【００６７】
電流周波数設定部１１０Ｂは、Ｕ相電力線への出力電力の電流周波数Ｆｕを設定するＵ相電流周波数設定部１１１Ｂと、Ｗ相電力線への出力電力の電流周波数Ｆｗを設定するＷ相電流周波数設定部１１２Ｂとを含む。
【００６８】
電流周波数設定部１１０Ｂは、電流値制御部１００Ｂから出力される目標値電流Ｉｕ＊および目標値電流Ｉｗ＊を取得する。電流周波数設定部１１０Ｂは、目標値電流Ｉｕ＊および目標値電流Ｉｗ＊のうちどちらが大きいかを判断する。電流周波数設定部１１０Ｂ（Ｕ相電流周波数設定部１１１Ｂ）は、目標値電流Ｉｕ＊が目標値電流Ｉｗ＊よりも大きい場合、電圧Ｖｕの検出電圧周波数Ｆｕｓと異なるように電流周波数Ｆｕを設定する。このとき、電流周波数設定部１１０Ｂ（Ｗ相電流周波数設定部１１２Ｂ）は、電流周波数Ｆｗのシフト設定を行なわず前回の電流周波数Ｆｗを維持する。
【００６９】
これに対して、電流周波数設定部１１０Ｂ（Ｗ相電流周波数設定部１１２Ｂ）は、目標値電流Ｉｕ＊が目標値電流Ｉｗ＊以下の場合、電圧Ｖｗの検出電圧周波数Ｆｗｓと異なるように電流周波数Ｆｗを設定する。このとき、電流周波数設定部１１０Ｂ（Ｕ相電流周波数設定部１１１Ｂ）は、電流周波数Ｆｕのシフト設定を行なわず前回の電流周波数Ｆｕを維持する。
【００７０】
以上から、電流周波数設定部１１０Ｂは、目標値電流の大きさに応じて、電流周波数Ｆｕおよび電流周波数Ｆｗのうちいずれか一方の電流周波数をシフトさせる。なお、電流周波数のシフト設定方式は、上述した図３および図４で説明した設定方式と同様である。
【００７１】
単独運転判断部１２０Ｂは、電流周波数設定部１１０Ｂ（Ｕ相電流周波数設定部１１１Ｂ）により検出電圧周波数Ｆｕｓと異なるように電流周波数Ｆｕが設定された場合、検出電圧周波数Ｆｕｓが電圧周波数の基準範囲を外れたときにインバータ２０が単独運転状態であると判断する。また、単独運転判断部１２０Ｂは、電流周波数設定部１１０Ｂ（Ｗ相電流周波数設定部１１２Ｂ）により検出電圧周波数Ｆｗｓと異なるように電流周波数Ｆｗが設定された場合、検出電圧周波数Ｆｗｓが電圧周波数の基準範囲を外れたときにインバータ２０が単独運転状態であると判断する。
【００７２】
＜処理手順＞
（電流周波数の設定およびインバータの停止）
図７は、実施の形態２に従う制御部１０Ｂの処理手順を示すフローチャートである。ここでは、制御部１０Ｂが、目標値電流に応じて電流周波数を設定し、インバータ２０を停止するまでの処理について説明する。
【００７３】
図７を参照して、制御部１０Ｂは、目標値電流Ｉｕ＊が目標値電流Ｉｗ＊よりも大きいか否かを判断する（ステップＳ１０２）。目標値電流Ｉｕ＊が目標値電流Ｉｗ＊よりも大きい場合には（ステップＳ１０２においてＹＥＳ）、制御部１０Ｂは、電流周波数Ｆｕのシフト設定処理を実行する（ステップＳ１０４）。具体的には、制御部１０Ｂは、電流周波数Ｆｕについて上述した図３および図４に示す処理を実行する。
【００７４】
続いて、制御部１０Ｂは、検出電圧周波数Ｆｕｓが電圧周波数の基準範囲外であるか否かを判断する（ステップＳ１０６）。基準範囲外である場合には（ステップＳ１０６においてＹＥＳ）、制御部１０Ｂは、インバータ２０が単独運転状態にあると判断してインバータ２０を停止させて（ステップＳ１０８）、処理を終了する。基準範囲内である場合には（ステップＳ１０６においてＮＯ）、制御部１０Ｂは、インバータ２０を通常駆動させて（ステップＳ１１４）、処理を終了する。
【００７５】
また、目標値電流Ｉｕ＊が目標値電流Ｉｗ＊以下の場合には（ステップＳ１０２においてＮＯ）、制御部１０Ｂは、電流周波数Ｆｗのシフト設定処理を実行する（ステップＳ１１０）。具体的には、制御部１０Ｂは、電流周波数Ｆｗについて上述した図３および図４に示す処理を実行する。
【００７６】
続いて、制御部１０Ｂは、検出電圧周波数Ｆｗｓが電圧周波数の基準範囲外であるか否かを判断する（ステップＳ１１２）。基準範囲外である場合には（ステップＳ１１２においてＹＥＳ）、制御部１０Ｂは、インバータ２０が単独運転状態にあると判断してインバータ２０を停止させて（ステップＳ１０８）、処理を終了する。基準範囲内である場合には（ステップＳ１１２においてＮＯ）、制御部１０Ｂは、インバータ２０を通常駆動させて（ステップＳ１１４）、処理を終了する。
【００７７】
＜利点＞
実施の形態２によると、インバータからの出力電流が大きい方の相に対応する電流周波数のみ検出電圧周波数と異なるように設定される。出力電流が大きい方が、電流周波数シフト時に無効電流を多く重畳可能となり単独運転を検出し易くなるため、単独運転検出の精度が維持される。また、片方の相のみ周波数設定を行ない逆相は周波数設定を行わないため、逆相側は高効率で運転可能となり総合的にインバータが出力する電力品質を高めることもできる。
【００７８】
［実施の形態３］
＜全体構成＞
図８は、実施の形態３に従うパワーコンディショナ２Ｃが適用される電力供給システムの全体構成を概略的に示す図である。
【００７９】
図８を参照して、電力供給システムは、パワーコンディショナ２Ｃと、蓄電池４と、負荷５Ａ，５Ｂ，５Ｃと、電流センサ６１，６２と、系統電源８とを含む。実施の形態３に従うパワーコンディショナ２Ｃは、実施の形態１に従うパワーコンディショナ２に相当する。実施の形態３におけるパワーコンディショナ２Ｃ以外の構成は、実施の形態１におけるそれらの構成と同様であるため、その詳細な説明は繰り返さない。
【００８０】
＜パワーコンディショナ２Ｃの構成＞
パワーコンディショナ２Ｃは、電力線３と、制御部１０Ｃと、インバータ２０と、リアクトル３１〜３３と、電流センサ４１，４２と、電圧センサ５３と、直流バス１５０とを含む。電力線３、インバータ２０、リアクトル３１〜３３、電流センサ４１，４２、および直流バス１５０の構成は、実施の形態１に従うパワーコンディショナ２におけるそれらの構成と同様であるため、その詳細な説明は繰り返さない。
【００８１】
電圧センサ５３は、電圧線Ｕと電圧線Ｗとの間に接続され、Ｕ−Ｗ相間の電圧Ｖｕｗを検出し、その検出結果を制御部１０Ｃに出力する。なお、電圧センサ５３の検出結果には、電圧Ｖｕｗの電圧値と周波数とが含まれる。
【００８２】
制御部１０Ｃは、電流センサ４１，４２からそれぞれ受けた電流Ｉｕ，Ｉｗと、電圧センサ５３から受けた電圧Ｖｕｗと、電流センサ６１，６２からそれぞれ受けた受電電流Ｉｕｐ，Ｉｗｐとに基づいて、後述する制御方式にしたがって、トランジスタＱ１〜Ｑ６のオン・オフを制御するためのスイッチング制御信号Ｓ１〜Ｓ６を生成し、インバータ２０を制御する。
【００８３】
＜制御部１０Ｃの構成＞
図９は、実施の形態３に従う制御部１０Ｃの構成を示す模式図である。図９を参照して、制御部１０Ｃは、電流値制御部１００Ｃと、電流周波数設定部１１０Ｃと、単独運転判断部１２０Ｃと、駆動部１３０Ｃとを含む。電流値制御部１００Ｃおよび駆動部１３０Ｃは、それぞれ図３に示す電流値制御部１００Ａおよび駆動部１３０Ａと実質的に同一の構成であるため、その詳細な説明は繰り返さない。
【００８４】
電流周波数設定部１１０Ｃは、電流周波数Ｆｕと電流周波数Ｆｗとを同一に設定するとともに、当該同一に設定された電流周波数が電圧センサ５３により検出された検出電圧周波数Ｆｕｗｓと異なるように設定する。電流周波数のシフト設定方式は、上述した図３および図４で説明した設定方式と同じである。たとえば、電流周波数設定部１１０Ｃは、電流周波数Ｆｕを図３で説明した設定方式により、検出電圧周波数Ｆｕｗｓと異なるように設定する。そして、電流周波数設定部１１０Ｃは、当該設定された電流周波数になるように電流周波数Ｆｗも設定する。
【００８５】
電流周波数設定部１１０Ｃにより電流周波数Ｆｕ，Ｆｗが同一に設定されているため、停電などにより系統電源８の電力が低下した場合には、検出電圧周波数Ｆｕｗｓが当該同一に設定された電流周波数と一致することになる。
【００８６】
そのため、単独運転判断部１２０Ｃは、検出電圧周波数Ｆｕｗｓと電圧周波数の基準範囲とに基づいて、インバータ２０が単独運転状態か否かを判断する。具体的には、単独運転判断部１２０Ｃは、検出電圧周波数Ｆｕｓが当該基準範囲を外れた場合に、インバータ２０が単独運転状態であると判断する。
【００８７】
＜利点＞
実施の形態３によると、Ｕ相およびＷ相それぞれへの出力電力の電流周波数が同一に設定され、かつ当該電流周波数が検出電圧周波数Ｆｕｗｓと異なるように設定される。したがって、実施の形態１と比較してＵ相およびＷ相での電圧検出が不要となることから、パワーコンディショナの低コスト化および小型化を実現することができる。
【００８８】
［まとめ］
本発明の実施の形態は次のように要約することができる。
【００８９】
（１）蓄電池４と系統電源８との間に接続されるパワーコンディショナ２であって、蓄電池４の直流電力を単相交流電力に変換して出力するインバータ２０と、電圧線Ｕおよび中性線Ｏで構成されるＵ相電力線と、電圧線Ｗおよび中性線Ｏで構成されるＷ相電力線とを含み、インバータ２０からの出力電力を供給する電力線３と、電圧線Ｕおよび中性線Ｏの間の電圧の検出電圧周波数Ｆｕｓを検出する電圧センサ５１と、電圧線Ｗおよび中性線Ｏの間の電圧の検出電圧周波数Ｆｗｓを検出する電圧センサ５２と、インバータ２０を制御する制御部１０Ａとを備える。制御部１０Ａは、検出電圧周波数Ｆｕｓと異なるようにＵ相電力線への出力電力の電流周波数Ｆｕを設定し、検出電圧周波数Ｆｗｓと異なるようにＷ相電力線への出力電力の電流周波数Ｆｗを設定する電流周波数設定部１１０Ａと、検出電圧周波数Ｆｕｓ，Ｆｗｓの少なくとも一方と、電圧周波数の整定範囲とに基づいて、インバータ２０が単独運転状態か否かを判断する単独運転判断部１２０Ａと、インバータ２０が単独運転状態である場合に、インバータ２０を停止させる駆動部１３０Ａとを含む。
【００９０】
上記構成によると、単相三線式の系統電源と連系されて、Ｕ相およびＷ相のそれぞれに出力される電力（電流）が異なる場合であっても、精度良く検出することが可能となる。  
【００９１】
（２）単独運転判断部１２０Ａは、検出電圧周波数Ｆｕｓおよび検出電圧周波数Ｆｗｓの少なくとも一方が電圧周波数の整定範囲を外れた場合にインバータ２０が単独運転状態であると判断する。
【００９２】
上記構成によると、インバータの単独運転をより早く検出することができる。また、これによりインバータの単独運転を確実に防止できる。
【００９３】
（３）制御部１０Ｂは、電圧線Ｕの受電点における受電電流Ｉｕｐと電圧線Ｗの受電点における受電電流Ｉｗｐとを監視し、受電電流Ｉｕｐに基づいて電圧線Ｕへの出力電流の目標値を示す目標値電流Ｉｕ＊を設定し、受電電流Ｉｗｐに基づいて電圧線Ｗへの出力電流の目標値を示す目標値電流Ｉｗ＊を設定する電流値制御部１００Ｂをさらに含む。電流周波数設定部１１０Ｂは、目標値電流Ｉｕ＊が目標値電流Ｉｗ＊よりも大きい場合、検出電圧周波数Ｆｕｓと異なるように電流周波数Ｆｕを設定し、目標値電流Ｉｕ＊が目標値電流Ｉｗ＊以下の場合、検出電圧周波数Ｆｗｓと異なるように電流周波数Ｆｗを設定する。
【００９４】
上記構成によると、出力電流が大きい片方の相のみ電流周波数設定を行なうためインバータが出力する電力品質を高めることができる。
【００９５】
（４）単独運転判断部１２０Ｂは、電流周波数設定部１１０Ｂにより電流周波数Ｆｕが設定された場合、検出電圧周波数Ｆｕｓが電圧周波数の整定範囲を外れたときにインバータ２０が単独運転状態であると判断し、電流周波数設定部１１０Ｂにより電流周波数Ｆｗが設定された場合、検出電圧周波数Ｆｗｓが電圧周波数の整定範囲を外れたときにインバータ２０が単独運転状態であると判断する。
【００９６】
上記構成によると、インバータからの出力電流が大きい方の相の電圧周波数により単独運転検出を行なうため、単独運転検出の精度を維持することができる。
【００９７】
（５）蓄電池４と系統電源８との間に接続されるパワーコンディショナ２Ｃであって、電源の直流電力を単相交流電力に変換して出力するインバータ２０と、電圧線Ｕおよび中性線Ｏで構成されるＵ相電力線と、電圧線Ｗおよび中性線Ｏで構成されるＷ相電力線とを含み、インバータ２０からの出力電力を供給する電力線３と、電圧線Ｕおよび電圧線Ｗの間の電圧の検出電圧周波数Ｆｕｗｓを検出する電圧センサ５３と、インバータ２０を制御する制御部１０Ｃとを備える。制御部１０Ｃは、Ｕ相電力線への出力電力の電流周波数ＦｕとＷ相電力線への出力電力の電流周波数Ｆｗとを同一に設定するとともに、当該同一に設定された電流周波数が電圧センサ５３によって検出された検出電圧周波数Ｆｕｗｓと異なるように設定する電流周波数設定部１１０Ｃと、電圧センサ５３により検出された検出電圧周波数Ｆｕｗｓと、電圧周波数の整定範囲とに基づいて、インバータ２０が単独運転状態か否かを判断する単独運転判断部１２０Ｃと、単独運転判断部１２０Ｃがインバータ２０が単独運転状態であると判断した場合に、インバータ２０を停止する駆動部１３０Ｃとを含む。
【００９８】
上記構成によると、電流周波数Ｆｕおよび電流周波数Ｆｗが同一に設定され、かつ当該電流周波数が検出電圧周波数Ｆｕｗｓと異なるように設定される。したがって、単独運転を精度良く検出するとともに、パワーコンディショナの低コスト化および小型化を促進することができる。
【００９９】
（６）単独運転判断部１２０Ｃは、検出電圧周波数Ｆｕｗｓが電圧周波数の整定範囲を外れた場合、インバータ２０が単独運転状態であると判断する。
【０１００】
上記構成によると、実施の形態１に従うパワーコンディショナと比較して電圧センサを２つ用意することなく単独運転検出が可能なパワーコンディショナを提供できる。
【０１０１】
上述の実施の形態として例示した構成は、本発明の構成の一例であり、別の公知の技術と組み合わせることも可能であるし、本発明の要旨を逸脱しない範囲で、一部を省略する等、変更して構成することも可能である。
【０１０２】
また、上述した実施の形態において、他の実施の形態で説明した処理や構成を適宜採用して実施する場合であってもよい。
【０１０３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０４】
２，２Ｃ  パワーコンディショナ、３  電力線、４  蓄電池、５  電力負荷、８  系統電源、１０，１０Ａ，１０Ｂ，１０Ｃ  制御部、２０  インバータ、３１，３２，３３  リアクトル、４１，４２，６１，６２  電流センサ、５１，５２，５３  電圧センサ、１００Ａ，１００Ｂ，１００Ｃ  電流値制御部、１０１Ａ  Ｕ相電流値制御部、１０２Ａ  Ｗ相電流値制御部、１１０Ａ，１１０Ｂ，１１０Ｃ  電流周波数設定部、１１１Ａ，１１１Ｂ  Ｕ相電流周波数設定部、１１２Ａ，１１２Ｂ  Ｗ相電流周波数設定部、１２０Ａ，１２０Ｂ，１２０Ｃ  単独運転判断部、１３０Ａ，１３０Ｂ，１３０Ｃ  駆動部、１５０  直流バス。
【図１】
2015211546.tif 000003
【図２】
2015211546.tif 000004
【図３】
2015211546.tif 000005
【図４】
2015211546.tif 000006
【図５】
2015211546.tif 000007
【図６】
2015211546.tif 000008
【図７】
2015211546.tif 000009
【図８】
2015211546.tif 000010
【図９】
2015211546.tif 000011